(57)【特許請求の範囲】
【請求項１】
第１周波数帯域の信号を含む検査音を異なる音圧で２以上の回数出力する検査音出力手段と、
前記検査音出力手段により出力された検査音の聞き取り回数を入力する聞き取り回数入力手段と、
前記聞き取り回数入力手段により入力された検査音の聞き取り回数に基づき、聴覚特性を判定する聴覚特性判定手段と、
前記聴覚特性判定手段により判定された聴覚特性に基づき、音響信号を補正する音響信号補正手段と
を具備する電子機器。
【請求項２】
属性情報を入力する属性情報入力手段をさらに具備し、
前記聴覚特性判定手段は、前記聞き取り回数入力手段により入力された検査音の聞き取り回数と、前記属性情報入力手段により入力された属性情報とに基づき、前記聴覚特性の判定を実行する
請求項１に記載の電子機器。
【請求項３】
前記音響信号補正手段は、複数の聴覚特性データを保持し、
前記聴覚特性判定手段は、前記音響信号補正手段が保持する複数の聴覚特性データの中から前記聞き取り回数入力手段により入力された検査音の聞き取り回数と前記属性情報入力手段により入力された属性情報との組合せに対応する聴覚特性データを選択する
請求項２に記載の電子機器。
【請求項４】
前記第１周波数帯域は、４０００Ｈｚである請求項１に記載の電子機器。
【請求項５】
前記第１周波数帯域は、３０００Ｈｚ乃至５０００Ｈｚである請求項１に記載の電子機器。
【請求項６】
前記検査音の音圧は、５ｄＢ、１０ｄＢ、１５ｄＢまたは２０ｄＢである請求項１に記載の電子機器。
【請求項７】
前記属性情報は、性別を含む請求項２に記載の電子機器。
【請求項８】
前記属性情報は、年齢層を含む請求項２に記載の電子機器。
【請求項９】
前記属性情報は、年齢層を含み、
前記音響信号補正手段によって保持される複数の聴覚特性データは、前記検査音の聞き取り回数が同数であっても、前記属性情報として入力された年齢層が高い程、音響信号の各周波数成分に対する補正幅が大きくなるように定められる請求項３に記載の電子機器。
【請求項１０】
音響信号を出力する機能を有する電子機器における音響信号の補正方法であって、
第１周波数帯域の信号を含む検査音を異なる音圧で２以上の回数出力し、
前記出力した検査音の聞き取り回数を入力し、
前記入力した検査音の聞き取り回数に基づき、複数の聴覚特性パタンの中から１つの聴覚特性パタンを選択し、
前記選択した聴覚特性パタンに基づき、音響信号を補正する
音響信号補正の方法。
【請求項１１】
属性情報をさらに入力し、
前記聴覚特性パタンを選択することは、前記入力した検査音の聞き取り回数と属性情報とに基づき、前記聴覚特性パタンの選択を実行する
請求項１０に記載の音響信号の補正方法。
【請求項１２】
音響信号を出力する機能を有するコンピュータを、
第１周波数帯域の信号を含む検査音を異なる音圧で２以上の回数出力する検査音出力手段、
前記検査音出力手段により出力された検査音の聞き取り回数を入力する聞き取り回数入力手段、
前記聞き取り回数入力手段により入力された検査音の聞き取り回数に基づき、聴覚特性を判定する聴覚特性判定手段、
前記聴覚特性判定手段により判定された聴覚特性に基づき、音響信号を補正する音響信号補正手段
として機能させるプログラム。
【請求項１３】
前記コンピュータを、属性情報を入力する属性情報入力手段としてさらに機能させ、
前記聴覚特性判定手段は、前記聞き取り回数入力手段により入力された検査音の聞き取り回数と、前記属性情報入力手段により入力された属性情報とに基づき、前記聴覚特性の判定を実行する
請求項１２に記載のプログラム。
【請求項１４】
前記音響信号補正手段は、複数の聴覚特性を保持し、
前記聴覚特性判定手段は、前記音響信号補正手段が保持する複数の聴覚特性の中から前記聞き取り回数入力手段により入力された検査音の聞き取り回数と前記属性情報入力手段により入力された属性情報との組合せに対応する聴覚特性を選択する
請求項１３に記載のプログラム。
【請求項１５】
第１周波数帯域の信号を含む検査音を異なる音圧で出力する出力手段と、
前記出力手段により出力された異なる音圧の検査音のどの音圧を聞き取れたかの聞き取り状況を入力する入力手段と、
前記入力手段により入力された検査音の聞き取り状況に基づき、聴覚特性を判定する判定手段と、
前記判定手段により判定された聴覚特性に基づき、音響信号を補正する補正手段と
を具備する電子機器。
【請求項１６】
音響信号を出力する機能を有する電子機器における音響信号の補正方法であって、
第１周波数帯域の信号を含む検査音を異なる音圧で出力し、
前記出力した異なる音圧の検査音のどの音圧を聞き取れたかの聞き取り状況を入力し、
前記入力した検査音の聞き取り状況に基づき、複数の聴覚特性パタンの中から１つの聴覚特性パタンを選択し、
前記選択した聴覚特性パタンに基づき、音響信号を補正する
音響信号補正の方法。
【請求項１７】
音響信号を出力する機能を有するコンピュータを、
第１周波数帯域の信号を含む検査音を異なる音圧で出力する出力手段、
前記出力手段により出力された異なる音圧の検査音のどの音圧を聞き取れたかの聞き取り状況を入力する入力手段、
前記入力手段により入力された検査音の聞き取り状況に基づき、聴覚特性を判定する判定手段、
前記判定手段により判定された聴覚特性に基づき、音響信号を補正する補正手段
として機能させるプログラム。
【発明の詳細な説明】
【技術分野】
【０００１】
本発明の実施形態は、聴覚特性に応じて音響信号を補正する技術に関する。
【背景技術】
【０００２】
一般に、高齢者は、若い人よりも聴力が衰える（以下、聴力の衰え等がなく、聴覚の正常な者を健聴者と称する）。具体的には、小さい音が聞き取りにくくなる。より高い周波数の音ほど、この傾向が顕著である（個人差はあるが、８〜１０ｋＨｚ以上の帯域で、より顕著である）。
【０００３】
補聴器は、このような聴覚特性に応じた音響信号の補正（以下、聴覚補正と称する）を行うための医療器具である。聴覚補正は、適用者の聴力に応じた処理であるため、適用者の聴力を事前に測定する必要がある。聴力測定は、専門の知識を有した者が、オージオメータと称される機械を使い、１２５Ｈｚ，２５０Ｈｚ，５００Ｈｚ，１０００Ｈｚ，２０００Ｈｚ，４０００Ｈｚ，８０００Ｈｚごとに、どれぐらい小さい音圧の音まで聞き取れるかを、各周波数帯域の検査音を被験者に聞かせながら行うのが一般的である。
【先行技術文献】
【特許文献】
【０００４】
【特許文献１】特開２０１０−２００２５９号公報
【発明の概要】
【発明が解決しようとする課題】
【０００５】
今日では、テレビジョン受像機、パーソナルコンピュータ、モバイル端末、タブレット端末、電話機、インターホン、カーナビゲーションシステム等、音響信号を出力する機能を有する家庭電化製品が種々利用されている。また、近年、例えば操作手順を音声で案内するための音声合成機能付きの冷蔵庫、電子レンジ、オーブンレンジ、エアコンディショナ等も普及し始めている。
【０００６】
ここで、このような音響信号を出力する機能を有する一般的な家庭電化製品に聴覚補正を適用することを想定する。この場合、前述のごとく非常に手間のかかる聴力測定を、一般的な家庭電化製品のユーザに強いることは非現実的である。
【０００７】
本発明は、聴覚補正の精度を維持しつつ聴力測定の簡便化を図ることを実現した電子機器、音響信号の補正方法およびプログラムを提供することを目的とする。
【課題を解決するための手段】
【０００８】
実施形態によれば、電子機器は、検査音出力手段、聞き取り回数入力手段、聴覚特性判定手段および音響信号補正手段を具備する。前記検査音出力手段は、第１周波数帯域の信号を含む検査音を異なる音圧で２以上の回数出力する。前記聞き取り回数入力手段は、前記検査音出力手段により出力された検査音の聞き取り回数を入力する。前記聴覚特性判定手段は、前記聞き取り回数入力手段により入力された検査音の聞き取り回数に基づき、聴覚特性を判定する。前記音響信号補正手段は、前記聴覚特性判定手段により判定された聴覚特性に基づき、音響信号を補正する。
【図面の簡単な説明】
【０００９】
【図１】第１実施形態の電子機器の外観を示す図。
【図２】第１実施形態の電子機器のシステム構成を示す図。
【図３】年代（年齢層）ごとの聴覚特性パタンを示すグラフ。
【図４】第１実施形態の電子機器が聴覚特性判定時に表示する操作画面の一例を示す図。
【図５】属性情報と聞き取り回数との組合せと聴覚特性パタンとの関係を説明するための図。
【図６】第１実施形態の電子機器上で動作する音響信号補正制御ユーティリティプログラムの機能ブロックを示す図。
【図７】第１実施形態の電子機器上で動作する音響信号補正制御ユーティリティプログラムの処理手順を示すフローチャート。
【発明を実施するための形態】
【００１０】
以下、実施の形態について図面を参照して説明する。
【００１１】
（第１実施形態）
まず、第１実施形態について説明する。
【００１２】
図１は、本実施形態の電子機器１の外観を示す図である。図１に示すように、本電子機器１は、例えば、薄いボード状の筐体を有し、筐体の前面中央部にタッチパネルディスプレイ１６が配置された、いわゆるタブレットＰＣ（Personal computer）として実現される。ユーザは、タッチパネルディスプレイ１６上でタッチ操作を行うことで、本電子機器１に対して動作指示を与える。また、本電子機器１は、音響信号を出力する機能を有しており、タッチパネルディスプレイ１６の周辺部、つまり筐体の前面周辺部にスピーカ１８が配置されている。
【００１３】
図２は、本電子機器１のシステム構成を示す図である。
【００１４】
図２に示すように、本電子機器１は、ＣＰＵ（Central processing unit）１１、主メモリ１２、外部記憶装置１３、入力コントローラ１４、表示コントローラ１５、タッチパネルディスプレイ１６、サウンドコントローラ１７、スピーカ１８等を有している。
【００１５】
ＣＰＵ１１は、本電子機器１の動作を制御するプロセッサであり、例えばＳＳＤ（Solid state drive）等である外部記憶装置１３から主メモリ１２にロードされる各種プログラムを実行する。ＣＰＵ１１によって実行される各種プログラムの中には、リソース管理を司るＯＳ（Operating system）１１０や、当該ＯＳ１１０の配下で動作する、後述する音響信号補正制御ユーティリティプログラム１２０、各種アプリケーションプログラム１３０等が存在する。
【００１６】
入力コントローラ１４は、タッチパネルディスプレイ１６上でのタッチ操作によるデータ入力を制御するためのコントローラである。タッチパネルディスプレイ１６には、ＬＣＤ（Liquid crystal display）１６１とタッチパネル１６２とが組み込まれている。タッチパネルディスプレイ１６上でタッチ操作が行われると、タッチパネル１６２上の位置を含む入力情報がタッチパネル１６２から入力コントローラ１４へ出力される。入力コントローラ１４は、この入力情報を自身のレジスタに格納すると共に、割り込みを発生させることによってＣＰＵ１１への通知を行い、当該レジスタに格納した入力情報をＣＰＵ１１に読み取らせる。これにより、タッチパネルディスプレイ１６上でのタッチ操作というイベントの発生がＯＳ１１０に伝達される。ＯＳ１１０は、例えば入力情報で示されるタッチパネル１６２上の位置に対応するＬＣＤ１６１上の位置に操作画面（ウィンドウ）を表示する音響信号補正制御ユーティリティプログラム１２０や各種アプリケーションプログラム１３０に対して、このイベントの発生を通知する。
【００１７】
一方、表示コントローラ１５は、タッチパネルディスプレイ１６に組み込まれたＬＣＤ１６１への画像表示を制御するためのコントローラである。表示コントローラ１５は、各種プログラムが表示しようとする画像をＣＰＵ１１に代わって描画するアクセラレータを搭載している。
【００１８】
サウンドコントローラ１７は、音源デバイスであり、再生対象のオーディオデータに対応する音響信号を生成してスピーカ１８に出力する。サウンドコントローラ１７は、スピーカ１８に出力する音響信号に対して補正を施す音響信号補正モジュール１７１を搭載している。音響信号補正制御ユーティリティプログラム１２０は、この音響信号補正モジュール１７１の制御を司るプログラムである。音響信号補正モジュール１７１は、音響信号補正制御ユーティリティプログラム１２０によって設定されたパラメータに基づき、音響信号の補正処理を実行する。本電子機器１は、このパラメータを適切に設定するための聴力測定を簡便な方法で行えるようにしたものであり、以下、この点について詳述する。
【００１９】
なお、ここでは、例えばＩＣ（Integrated circuit）であるサウンドコントローラ１７に搭載される音響信号補正モジュール１７１により音響信号を補正する例を示すが、音響信号の補正機能は、ＣＰＵ１１によって実行される各種プログラムの１つとしても実現可能である。さらに言えば、サウンドコントローラ１７の機能全体を、ＣＰＵ１１によって実行される各種プログラムの１つとして実現することもできる。
【００２０】
音響信号補正モジュール１７１は、平均的な聴覚特性（聴覚特性データ）を予め数パタン保持している。前述のパラメータは、複数の聴覚特性パタンの中のいずれか１つの聴覚特性パタンを指定するためのものである。音響信号補正制御ユーティリティプログラム１２０は、これまで一般的に行われている細かい聴力測定を実施する代わりに、（音響信号補正モジュール１７１によって保持される）事前に用意した複数の聴覚特性パタンの中から最適なものを選択するために必要な最低限の情報を取得するための測定を実施する。
【００２１】
具体的には、いくつかの音圧の４ｋＨｚの純音を用意してユーザ（被験者）に聞かせ、何個聞こえるかで、何ｄＢの音圧まで聞こえるかを試験する。これにより、ユーザの４ｋＨｚの聴力を取得する。この４ｋＨｚの聴力に応じて、事前に用意した複数の聴覚特性パタンの中でどれが適切かを判定する。
【００２２】
例えば、５ｄＢ，１０ｄＢ，１５ｄＢ，２０ｄＢの４ｋＨｚの音を用意しておき、聴覚特性判定時にこれらをユーザに聞かせる。ここで聞こえた音が２個の場合、大きい方から聞き取れたと考えられるので、２０ｄＢと１５ｄＢが聞き取れ、１０ｄＢと５ｄＢは聞き取れなかったと考えられる。つまり、４ｋＨｚの聴力は大凡１５ｄＢと推測される。
【００２３】
図３は、年代（年齢層）ごとの聴覚特性パタン、具体的には、ある程度の数の被験者の聴力を測定して年代ごとに平均化した値を示すグラフである。図３中、ａ１は３０代平均の聴覚特性パタン、ａ２は４０代平均の聴覚特性パタン、ａ３は５０代平均の聴覚特性パタン、ａ４は６０代平均の聴覚特性パタンをそれぞれ示している。図３によれば、４ｋＨｚの聴力が１５ｄＢの場合に１番近い聴覚特性パタンは５０代平均の聴覚特性パタンであり、よって、この聴覚特性パタンで聴覚補正をすればよいということになる。
【００２４】
ここで、聴力測定が４ｋＨｚのみでよい理由を説明する。
【００２５】
図３によると、健聴者と高齢者の聴力は、１０００Ｈｚ以下ではあまり差がない。よって、どの聴覚特性パタンが適切かを選択する上では、２０００Ｈｚ，４０００Ｈｚ，８０００Ｈｚでの聴力測定のみを行えばよいこととなる。
【００２６】
次に、例えば平均的な６０代の聴力の持ち主に、５０代や４０代の聴覚特性で補正することは最適ではないが、補正しないよりは聞こえ易くなるため、悪影響は少ないと考えられる。一方、平均的な３０代の聴力の持ち主に、６０代の聴覚特性で補正すると、中高域の音が過剰な感じの音を聞くことになる。これにより、「ざらざらした音」、「キンキンした音」、「耳障りな音」などのように悪影響が生じることが考えられる。一般に、人間の聴覚は４０００Ｈｚ前後が敏感であり、４０００Ｈｚの聴覚がどれだけ敏感かが分かれば、前述した悪影響を防ぐような聴覚特性を選択することができる。よって、事前に用意した聴覚特性の中からどれが最適かを選択する場合、なるべく聴覚が敏感な帯域の聴力を測定することが有効であり、特に４０００Ｈｚが有力となる。
【００２７】
図４は、音響信号補正制御ユーティリティプログラム１２０が聴覚特性判定時にタッチパネルディスプレイ１６に表示する操作画面の一例を示す図である。
【００２８】
図４に示すように、操作画面には、第１に、「性別」や「年代」等の属性情報を入力するためのフィールドｂ１が設けられる。第２に、音が何回聞き取れたかを入力するためのフィールドｂ２が設けられる。この操作画面に対して、ユーザは、まず、属性情報の入力を行う。
【００２９】
フィールドｂ１での属性情報の入力が行われると、音響信号補正制御ユーティリティプログラム１２０は、例えば、５ｄＢ，１０ｄＢ，１５ｄＢ，２０ｄＢの４ｋＨｚの音をスピーカ１８から出力する。この音（検査音）の出力順は、音圧の小さい順でもよいし、音圧の大きい順でもよい。さらに言えば、都度ランダムに出力してもよい。
【００３０】
検査音の出力を終了すると、音響信号補正制御ユーティリティプログラム１２０は、被験者が検査音を何回聞き取れたかを入力する。音響信号補正制御ユーティリティプログラム１２０は、ユーザによって入力された属性情報と聞き取り回数とに基づき、音響信号補正モジュール１７１が保持する複数の聴覚特性パタンの中から最適な聴覚特性パタンを選択し、当該選択した聴覚特性パタンに対応するパラメータを音響信号補正モジュール１７１に設定する。
【００３１】
図５を参照して、性別や年代などの属性情報と検査音の聞き取り回数との組合せと聴覚特性パタンとの関係について説明する。
【００３２】
図５中、集合Ａ（ｃ１）は、検査音の聞き取り回数が同数の被験者の集合体である。ここでは、音圧が異なる４つの検査音を出力するので、集合Ａは、聞き取り回数が０〜４回の５つが形成されることになる。
【００３３】
検査音の聞き取り回数が同数であっても、性別や年代などが異なれば、聴覚特性パタンに違いが表れ得る。集合ａ１（ｃ１１），ａ２（ｃ１２），…，ａｎ（ｃ１ｎ）は、検査音の聞き取り回数が同数の被験者の集合体から属性情報ごとに分岐して形成された集合体である。そこで、音響信号補正モジュール１７１は、検査音の聞き取り回数が同数の集合Ａごとの平均的な聴力特性パタンを保持するのではなく、さらに、当該集合Ａから分岐した（検査音の聞き取り回数が同数で、かつ）属性情報が同一の集合ａ１，ａ２，…，ａｎごとの平均的な聴覚特性パタンを保持する。
【００３４】
例えば、音響信号補正モジュール１７１によって保持される聴覚特性パタンは、属性情報として入力された年代が高い程、音響信号の各周波数成分に対する補正幅が大きくなるように定められる。
【００３５】
これにより、聴力測定を簡便化するにあたって、聴覚補正の精度を維持することを実現する。なお、性別や年代などの属性情報を考慮することなく、検査音の聞き取り回数が同数の集合Ａごとに、平均的な聴覚特性パタンを用意する場合であっても、高い確率で、聴覚補正の精度を維持できる。
【００３６】
図６は、音響信号補正制御ユーティリティプログラム１２０の機能ブロックを示す図である。
【００３７】
図６に示すように、音響信号補正制御ユーティリティプログラム１２０は、操作画面表示モジュール１２１、属性情報入力モジュール１２２、検査音出力モジュール１２３、聞き取り回数入力モジュール１２４、補正パラメータ設定モジュール１２５を有する。
【００３８】
操作画面表示モジュール１２１は、図４に示した操作画面をタッチパネルディスプレイ１６に表示するモジュールである。属性情報入力モジュール１２２は、操作画面表示モジュール１２１によってタッチパネルディスプレイ１６に表示された操作画面上のフィールドｂ１に入力された属性情報を入力するモジュールである。検査音出力モジュール１２３は、例えば、５ｄＢ，１０ｄＢ，１５ｄＢ，２０ｄＢの４ｋＨｚの音をスピーカ１８から出力するモジュールである。聞き取り回数入力モジュール１２４は、検査音出力モジュール１２３によって検査音がスピーカ１８から出力された後、操作画面表示モジュール１２１によってタッチパネルディスプレイ１６に表示された操作画面上のフィールドｂ２に入力された聞き取り回数を入力するモジュールである。そして、補正パラメータ設定モジュール１２５は、属性情報入力モジュール１２２によって入力された属性情報と、聞き取り回数入力モジュール１２４によって入力された聞き取り回数とに基づき、音響信号補正モジュール１７１が事前に用意する複数の聴覚特性パタンの中から最適な聴覚特性パタンを選択し、当該選択した聴覚特性パタンに対応するパラメータを音響信号補正モジュール１７１に設定するモジュールである。
【００３９】
次に、以上のような構成を持つ音響信号補正制御ユーティリティプログラム１２０の処理手順を、図７に示すフローチャートを用いて説明する。
【００４０】
音響信号補正制御ユーティリティプログラム１２０は、まず、図４に示した操作画面をタッチパネルディスプレイ１６に表示する（ブロックＳ１）。次に、音響信号補正制御ユーティリティプログラム１２０は、タッチパネルディスプレイ１６に表示した操作画面上のフィールドｂ１に入力された属性情報を入力する（ブロックＳ２）。
【００４１】
属性情報の入力が行われたら、音響信号補正制御ユーティリティプログラム１２０は、例えば、５ｄＢ，１０ｄＢ，１５ｄＢ，２０ｄＢの４ｋＨｚの音をスピーカ１８から出力する（ブロックＳ３）。この検査音の出力後、音響信号補正制御ユーティリティプログラム１２０は、タッチパネルディスプレイ１６に表示した操作画面上のフィールドｂ２に入力された聞き取り回数を入力する（ブロックＳ４）。
【００４２】
そして、音響信号補正制御ユーティリティプログラム１２０は、入力した属性情報と聞き取り回数とに基づき、音響信号補正モジュール１７１が事前に用意する複数の聴覚特性パタンの中から最適な聴覚特性パタンを選択し、当該選択した聴覚特性パタンに対応するパラメータを音響信号補正モジュール１７１に設定する（ブロックＳ５）。
【００４３】
これにより、以降、スピーカ１８から出力される音響信号に対し、音響信号補正モジュール１７１によってユーザ（被験者）にとって最適な補正が施されることになる。
【００４４】
以上のように、本実施形態の電子機器１によれば、聴覚補正の精度を維持しつつ聴力測定の簡便化を図ることが実現される。
【００４５】
（第２実施形態）
次に、第２実施形態について説明する。
【００４６】
前述した第１実施形態では、４０００Ｈｚの検査音を被験者に聞き取らせる例を説明した。一方、人間の聴覚は、約３０００Ｈｚから約５０００Ｈｚの範囲において敏感であると一般に言われている。そこで、本実施形態では、音響信号補正制御ユーティリティプログラム１２０は、この約３０００Ｈｚから約５０００Ｈｚの帯域の音を被験者に聞かせるようにする。この際、３０００Ｈｚ,４０００Ｈｚ，５０００Ｈｚの音を織り交ぜて、異なる音圧の音を聞かせるようにしても良い。
【００４７】
また、第１実施形態では、図４に示した操作画面上に「「ピー」という音は何回再生されましたか？」という質問文が表示されているように、すべての音圧について「ピー」という純音を出力することを想定している。これに対して、約３０００Ｈｚから約５０００Ｈｚの帯域の音を被験者に聞かせる本実施形態では、検査音として、純音のみならず、３０００Ｈｚから５０００Ｈｚの周波数成分からなる音を聞かせるようにしてもよい。
【００４８】
即ち、４０００Ｈｚのみの音に代えて、約３０００Ｈｚから約５０００Ｈｚの帯域の音を検査音として用いることで、本実施形態の電子機器１は、取得される聞き取り回数の適正化を図り、もって、聴覚補正の精度を高めることを実現する。
【００４９】
（第３実施形態）
次に、第３実施形態について説明する。
【００５０】
本実施形態では、性別や年代などの属性情報と正確な聴力との統計的な関係を予め測定しておき、聴力測定の代わりに、属性情報を入力させることで、間接的に最適な聴覚特性パタンを特定する。年代が高い聴覚特性パタンを選択した場合における聴覚補正後の音響信号は、元の音響信号と比較して、音が大きくなる傾向にあるが、例えば個人の好みで、多少耳障りな音でも小さい音より大きい音を好む場合もある。よって、入力させる属性情報としては、性別や年代以外に、音量は大きい方が好みか、丁度良い方が好みか、などを用意しても良い。
【００５１】
即ち、本実施形態の電子機器１は、（聴力測定が不要となり、属性情報を入力するだけでよいので）聴覚補正のための聴覚特性の判定時にユーザに強いる作業を大幅に削減することを実現する。
【００５２】
なお、各実施形態の動作制御処理は、ソフトウェア（プログラム）によって実現することができるので、このソフトウェアを格納したコンピュータ読み取り可能な記憶媒体を通じてこのソフトウェアを通常のコンピュータにインストールして実行することにより、各実施形態と同様の効果を容易に実現することができる。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５４】
１…電子機器、１１…ＣＰＵ、１２…主メモリ、１３…外部記憶装置、１４…入力コントローラ、１５…表示コントローラ、１６…タッチパネルディスプレイ、１７…サウンドコントローラ、１８…スピーカ、１１０…ＯＳ、１２０…音響信号補正制御ユーティリティプログラム、１２１…操作画面表示モジュール、１２２…属性情報入力モジュール、１２３…検査音出力モジュール、１２４…取り回数入力モジュール、１２５…補正パラメータ設定モジュール、１３０…各種アプリケーションプログラム、１６１…ＬＣＤ、１６２…タッチパネル、１７１…音響信号補正モジュール。
【図１】
0005289529.tif 000002
【図２】
0005289529.tif 000003
【図３】
0005289529.tif 000004
【図４】
0005289529.tif 000005
【図５】
0005289529.tif 000006
【図６】
0005289529.tif 000007
【図７】
0005289529.tif 000008